(57)【特許請求の範囲】
【請求項１】
遊技機の正面側に位置する前扉と、
前扉の正面側に設けられ、遊技機の内部へメダルを投入するためのメダル投入口と、
前扉の裏面側に設けられ、メダルを受入可能なメダル受入口、及び、メダル受入口から受け入れられたメダルを所定方向へ移送するためのメダル通路を有するとともに、メダル通路の途中で前記メダルの選別を行うメダル選別装置と、を備えた遊技機において、
前扉の裏面には、メダル選別装置を取り付けるための係止凸部が突設され、
メダル選別装置には、側部から突出する係止突起が設けられ、
係止凸部には、係止突起が係止可能な係止溝が設けられ、
係止溝は、
係止突起が係止溝内に進入可能に形成された係止溝開口部から、係止突起を位置させる際において、メダル受入口がメダル投入口からメダルの流下方向における下流側に、適正メダルの直径よりも小さい所定距離の間隙を挟んで対向することでメダル投入口とメダル受入口とが互いに離間しつつもメダル投入口から投入されたメダルがそのメダル投入口の下側の縁とその下方のメダル受入口の上側の縁とを同時に通過し得るとともに前記係止溝開口部に対して遊技機の水平前方よりも下側の方向にある仮止め位置まで至り、かつ、当該仮止め位置から、係止突起を前記メダルの流下方向と反対方向に摺動させることによりメダル投入口とメダル受入口とが連通するとともに前記仮止め位置に対して鉛直上方よりも遊技機の前方に傾斜した方向にある本止め位置まで至るように形成され、
メダル選別装置は、
前記本止め位置に係止突起が位置している状態で、所定の固定具により、係止凸部に固定可能である一方、前記仮止め位置に当該係止突起が位置している状態では、前記所定の固定具による前扉の裏面への固定が不能に形成されていることを特徴とする遊技機。
【発明の詳細な説明】
【技術分野】
【０００１】
この発明は、遊技機に関し、詳しくは、投入されたメダルを選別、排除するためのメダル選別装置を備えた遊技機に関するものである。
【背景技術】
【０００２】
従来、遊技媒体としてメダルを使用して遊技を行う遊技機、たとえば、スロットマシンには、このスロットマシンの内部へ投入されたメダルを選別、排除するためのメダル選別装置が設けられている。具体的には、メダル選別装置は、スロットマシン内部へ投入されたメダルを、適正メダル又は適正メダルよりも径が小さい小径メダルに選別し、この小径メダルを排除する選別排除装置と、この選別排除装置により排除されなかった適正メダルを検出するためのメダル検知センサーとを備えている。そして、メダル検知センサーが適正メダルを検出することにより、この適正メダルが、遊技に使用可能な有効メダルとして、カウントされるものとなっている。
【０００３】
また、このようなスロットマシンにおいては、このスロットマシンの正面を構成する前扉の正面側に、メダルをスロットマシン内部へ投入するためのメダル投入口が設けられるとともに、このメダル投入口と対応する前扉の裏面側に、ブラケット等の保持部材を介して、前記メダル選別装置が取付けられるのが一般的である。具体的には、メダル選別装置の側部に、取付けのためのピン部材を突設させるとともに、前記ブラケットに、前記ピン部材に対応する係合孔を形成する。そして、ピン部材を係合孔に挿入した状態で、メダル選別装置がブラケットに固定されることにより、メダル選別装置は前扉の裏面側に取り付けられることとなる。
【０００４】
このようなスロットマシンは、下記の特許文献１に開示されている。
【特許文献１】特開２００６−６１４８５号公報
【発明の開示】
【発明が解決しようとする課題】
【０００５】
しかし、上述のようなスロットマシンにおいて、メダル選別装置の取り付け位置の周辺、特に、上方には、前扉の正面側に向けて所定の表示を行うための表示器や、遊技に使用するスイッチ等の各種装置、並びに、これらの装置と、制御基板や電源装置との接続を行うための各種ケーブル等が配設されることとなっている。そのため、前記取り付け位置の上方には、大きなクリアランスを設けることができず、メダル選別装置を取り付け位置に配置しづらく、また、配置の際に、他の装置やコード等と接触するおそれがあるという問題が生じていた。
また、メダル投入口からスロットマシン内部へ投入されるメダルが、メダル選別装置に受け入れられて選別、排除されるか否かのテストを行う場合には、ホール等で現実に稼動する際と同様に、メダル選別装置を前扉の裏面側に固定した状態としなければならない。
【０００６】
そして、上述のような状態でメダル選別装置の上記テストを行った場合、メダル投入口と、メダル選別装置におけるメダルの受入口との位置に若干のズレが生じている等により、メダル投入口から投入されたメダルがメダル選別装置に受け入れられないようなときには、ブラケットに固定されている状態のメダル選別装置を取り外した後、ブラケットの取り付け位置等の微調整を行う必要がある。
したがって、上述のテスト時における作業が煩雑となり、筐体組立作業者等の作業負担が大きくなるという問題が生じていた。
そこで、請求項１、２又は３に記載された発明は、上記した事情によりなされたものであり、簡易な構造で、他の装置やコード等と接触することなく容易にメダル選別装置を取り付け可能であって、メダル選別装置に関する作動のテストを行う際の作業負担を軽減可能な遊技機を提供することを目的とする。
【課題を解決するための手段】
【０００７】
請求項に記載された発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、遊技機の正面側に位置する前扉30と、前扉30の正面側に設けられ、遊技機の内部へメダルを投入するためのメダル投入口31と、前扉30の裏面側に設けられ、メダルを受入可能なメダル受入口81、及び、メダル受入口81から受け入れられたメダルを所定方向へ移送するためのメダル通路82を有するとともに、メダル通路82の途中で前記メダルの選別を行うメダル選別装置70と、を備えた遊技機において、前扉30の裏面には、メダル選別装置70を取り付けるための係止凸部113が突設され、メダル選別装置70には、側部から突出する係止突起89が設けられ、係止凸部113には、係止突起89が係止可能な係止溝114が設けられ、係止溝114は、係止突起89が係止溝114内に進入可能に形成された係止溝開口部115aから、係止突起89を位置させる際において、メダル受入口81がメダル投入口31からメダルの流下方向における下流側に、適正メダルの直径よりも小さい所定距離の間隙を挟んで対向することでメダル投入口31とメダル受入口81とが互いに離間しつつもメダル投入口31から投入されたメダルがそのメダル投入口31の下側の縁とその下方のメダル受入口81の上側の縁とを同時に通過し得るとともに前記係止溝開口部115aに対して遊技機の水平前方よりも下側の方向にある仮止め位置Ｋまで至り、かつ、当該仮止め位置Ｋから、係止突起89を前記メダルの流下方向と反対方向に摺動させることによりメダル投入口31とメダル受入口81とが連通するとともに前記仮止め位置Ｋに対して鉛直上方よりも遊技機の前方に傾斜した方向にある本止め位置Ｈまで至るように形成され、メダル選別装置70は、前記本止め位置Ｈに係止突起89が位置している状態で、所定の固定具120により、係止凸部113に固定可能である一方、前記仮止め位置Ｋに当該係止突起89が位置している状態では、前記所定の固定具120による前扉30の裏面への固定が不能に形成されていることを特徴とする。
【０００８】
ここで、遊技機は、メダルを用いて遊技が行われるものであって、たとえば、スロットマシンや、その他のメダル遊技機が挙げられる。
前扉30は、遊技機の正面側に位置するものであり、換言すれば、遊技機の正面を構成する部材である。この前扉30は、遊技機の正面側に位置するものであれば、その取り付けの態様については特に限定されるものではない。たとえば、前扉30は、遊技機が正面側に開口する箱状の筐体20を有している場合には、筐体20の一方の側部に、ヒンジ等により、前記開口を開閉自在となるように取り付けることができる。
メダル投入口31は、前扉30の正面側に設けられ、遊技機の内部へメダルを投入するためのものであり、具体的には、所定寸法のスリット状の貫通孔となるように形成することができる。たとえば、メダル投入口31は、予め定められた所定寸法の直径（たとえば、２５ｍｍ、３０ｍｍ等）、及び、所定寸法の厚さを有し、所定の規格に適合したメダルである適正メダル、及び、適正メダルよりも径が小さいメダルを投入可能に形成することができる。また、メダル投入口31は、適正メダルよりも径が大きいメダルは投入不可となるように形成することができる。
【０００９】
また、メダル投入口31は、前扉30の所定箇所に直接、貫通孔を形成することで、前扉30に対して直接的に設けることもできるし、また、貫通孔が形成された所定の部材を、前扉30の所定箇所に取り付けることで、前扉30に対して間接的に設けることもできる。
メダル選別装置70は、前扉30の裏面側に設けられ、メダルを受入可能なメダル受入口81、及び、メダル受入口81から受け入れられたメダルを所定方向へ移送するためのメダル通路82を有するとともに、メダル通路82の途中で前記メダルの選別を行うものである。
具体的には、メダル選別装置70は、メダル投入口31から投入されたメダルをメダル受入口81から受け入れ、この受け入れられたメダルが適正メダルでない場合には、常時、メダル通路82の途中で当該メダルを排除するとともに、前記メダルが適正メダルの場合であり、かつ、所定条件時には、メダル通路82の途中で当該メダルを排除するものの、所定条件時以外には、排除することなく遊技に使用可能なメダルとして検知するように形成することができる。また、メダル選別装置70は、たとえば、箱型形状の装置として形成することができる。
【００１０】
また、前記メダル受入口81は、メダルを受入可能なものであり、換言すれば、メダル投入口31から投入されたメダルを受け入れることができるように形成されているものである。具体的には、メダル受入口81は、メダル投入口31と同形状であって、かつ、同寸法以上の貫通孔となるように形成することができる。
また、前記メダル通路82は、メダル受入口81から受け入れられたメダルを所定方向へ移送するためのものである。たとえば、前記メダル通路82は、前記メダルを、メダル受入口81の下方に位置し、投入されたメダルを貯留するためのホッパーユニット44へ向けて移送するように形成することができる。
【００１１】
また、メダル選別装置70には、メダル通路82の途中でメダルを排除可能な選別排除装置95や、この選別排除装置95により排除されなかったメダルを検知するためのメダル検知装置等を備えることができる。
係止凸部113は、前扉30の裏面に突設され、メダル選別装置70を取り付けるためのものである。たとえば、この係止凸部113は、薄板形状の突片や、ブロック形状の突片等として形成することができる。
また、この係止凸部113は、前扉30とは別体として形成し、前扉30の裏面に取り付けることができる。すなわち、この場合には、メダル選別装置70は、別体として形成された係止凸部113を介して、前扉30の裏面に対して間接的に取り付けられることとなる。また、この係止凸部113は、たとえば、前扉30の裏面を所定形状となるように成型することで、前扉30と一体に形成することもできる。すなわち、この場合には、メダル選別装置70は、前扉30と一体に形成された係止凸部113に取り付けられることで、前扉30の裏面に対して直接的に取り付けられることとなる。
【００１２】
係止突起89は、メダル選別装置70の側部から突出するように形成された部材であり、後述する係止凸部113の係止溝114に係止することにより、当該係止凸部113にメダル選別装置70を取り付けるためのものである。たとえば、メダル選別装置70が箱型形状の装置として形成されている場合には、係止突起89は、メダル選別装置70の側部を構成する側面から突出する突起状部材（たとえば、ピン等）として形成することができる。また、この係止突起89は、メダル選別装置70を取り付けることができれば、メダル選別装置70の両側部それぞれに１個又は複数個形成することができるし、また、メダル選別装置70のいずれか一方の側部のみに１個又は複数個形成してもよい。なお、メダル選別装置70のいずれか一方の側部のみに係止突起89を形成した場合には、他方の側部と対応する位置に、この他方の側部を支持するためのガイド部材等を設けることができる。
【００１３】
係止溝114は、係止突起89が係止可能な溝であり、係止突起89が係止溝114に係止されることで、メダル選別装置70を係止凸部113に取り付けるためのものである。この係止溝114は、係止突起89が係止溝114に係止できれば、係止凸部113を貫通する溝とすることもできるし、また、係止凸部113を貫通しない溝とすることもできる。
また、前記係止溝114は、係止突起89が係止溝114内に進入可能に形成された係止溝開口部115aから、係止突起89が位置した際にメダル投入口31から投入されたメダルがメダル受入口81に流入可能となる仮止め位置Ｋまで至り、かつ、当該仮止め位置Ｋから、係止突起89が位置した際にメダル投入口31とメダル受入口81とが連通する本止め位置Ｈまで至るように形成されている。すなわち、係止突起89は、係止溝開口部115aから係止溝114内に進入し、この係止溝114内を、前記仮止め位置Ｋを経由して、前記本止め位置Ｈまで移動することができるものとなっている。
【００１４】
ここで、係止溝開口部115aは、係止突起89が係止溝114内に進入可能に形成されたものであって、たとえば、係止凸部113の突設方向の端面に形成される開口とすることができる。
また、仮止め位置Ｋは、係止突起89が位置した際にメダル投入口31から投入されたメダルがメダル受入口81に流入可能となる所定位置である。すなわち、係止突起89が仮止め位置Ｋに位置していると、メダル投入口31から投入されたメダルがメダル受入口81に流入できることとなる。具体的には、係止突起89が仮止め位置Ｋに位置した状態では、メダル選別装置70のメダル受入口81が、メダル投入口31から、メダルの流下方向における下流側に、適正メダルの直径よりも小さい所定距離の間隙を挟んで対向することとなる。すなわち、メダル受入口81とメダル投入口31との間隔が適正メダルの直径未満となる。
【００１５】
また、本止め位置Ｈは、係止突起89が位置した際にメダル投入口31とメダル受入口81とが連通する所定位置である。すなわち、係止突起89が本止め位置Ｈに位置していると、メダル投入口31とメダル受入口81とが連通することとなる。具体的には、係止突起89が本止め位置Ｈに位置した状態では、メダル選別装置70のメダル受入口81とメダル投入口31とが、係止部が仮止め位置Ｋに位置していたときよりも小さい所定距離の間隙を挟んで対向するか、又は、メダル受入口81とメダル投入口31とがくっついた状態とすることができる。
なお、以上より、本止め位置Ｈは、仮止め位置Ｋから、メダルの流下方向における上流側に向けて所定距離移動した位置となる。換言すれば、本止め位置Ｈは、メダル投入口31方向へ向けて所定距離移動した位置となる。
【００１６】
また、本発明に係る遊技機では、前記本止め位置Ｈに係止突起89が位置している状態で、所定の固定具120により、係止凸部113に固定可能に形成されている。
具体的には、メダル選別装置70の所定箇所に、固定具120を取り付け可能な第１固定孔を設けるとともに、本止め位置Ｈにメダル選別装置70が位置している状態で、前扉30の裏面の、前記第１固定孔と対応する位置に、前記固定具120を取り付け可能な第２固定孔を設けることができる。
これにより、本止め位置Ｈにメダル選別装置70が無い状態では、第１固定孔と第２固定孔とが合致しないため、固定具120を取り付けることができず、メダル選別装置70を前扉30の裏面に固定することはできない。これに対し、本止め位置Ｈにメダル選別装置70が位置している状態では、第１固定孔と第２固定孔とが合致することとなり、第１固定孔及び第２固定孔を介して固定具120を取り付けることで、メダル選別装置70が前扉30の裏面に固定されることとなる。
【００１７】
また、前記固定具120は、上述のように、メダル選別装置70とは別体の部材とすることもできるし、メダル選別装置70と一体の部材として形成することもできる。具体的には、メダル選別装置70が本止め位置Ｈに位置している状態で、前扉30の裏面に設けられた固定孔と対応するメダル選別装置70の所定位置に、前記固定孔に取り付け可能な固定具120をメダル選別装置70と一体に形成することができる。そして、このように形成した場合にも、メダル選別装置70が本止め位置Ｈに位置している状態で、メダル選別装置70を前扉30の裏面に固定することができることとなる。
また、前記固定具120は、メダル選別装置70を前扉30の裏面に固定することができれば、その種類は特に限定されるものではなく、たとえば、固定した後に当該固定を解除することができるようなもの（たとえば、ネジ等）を使用することもできるし、一度固定すると解除することができなくなるようなもの（たとえば、リベット等）を使用することもできる。
【００１８】
また、上述の、固定した後に当該固定を解除することができる固定具120としては、たとえば、着脱自在なナイラッチを使用することもできる。具体的には、ナイラッチは、先端部が膨出しかつ縦割りにされた拡張部材と、この拡張部材の中心に形成された貫通孔に挿通されるプランジャーとから構成されるものである。そして、前記拡張部材を固定孔に挿通した後に、前記プランジャーを貫通孔に挿通すると、拡張部材の先端部が固定孔の奥側で拡がって外径寸法が増加することで、この先端部が固定孔の奥側周縁と係合し、拡張部材を貫通孔から抜くことができないように形成されている。また、強い力で前記プランジャーを貫通孔から引っ張り抜くと、拡張部材の先端部の外径寸法が縮小することで、この先端部と固定孔の奥側周縁との係合が解除され、拡張部材を貫通孔から抜くことができるように形成されている。これにより、ナイラッチは着脱自在なものとなっている。
【００３４】
（作用）
本発明に係る遊技機によれば、メダル選別装置70に設けられた係止突起89は、係止溝開口部115aから、係止凸部113に形成された係止溝114内に進入し、仮止め位置Ｋを経由して、本止め位置Ｈまで移動することができるものとなっている。そして、係止溝114内の本止め位置Ｈに係止突起89が位置している状態で、所定の固定具120により、メダル選別装置70を係止凸部113に固定できるものとなっている。そして、これにより、係止凸部113を介して、メダル選別装置70が前扉30の裏面に取り付けられることとなる。
【００３５】
ここで、前記仮止め位置Ｋは、係止突起89が位置した際にメダル投入口31から投入されたメダルがメダル受入口81に流入可能となる所定の位置である。すなわち、仮止め位置Ｋにおいては、メダル投入口31から投入されたメダルがメダル受入口81に流入可能となっているため、メダル受入口81は、メダル投入口31の下方に所定の距離をおいて位置することとなる。換言すれば、係止突起89が仮止め位置Ｋに位置しているときは、メダル選別装置70は、メダル投入口31の下方に所定の距離をおいて位置することとなる。
したがって、係止突起89が係止溝114内に進入して、仮止め位置Ｋを経由して、本止め位置Ｈまで到達する場合には、メダル選別装置70は、メダル投入口31よりも下方の空間を移動して、所定の取り付け位置まで到達することとなる。
【００３６】
これにより、メダル選別装置70の取り付け位置の上方に配設されている各種装置や各種ケーブル等と接触することなく、容易にメダル選別装置70を取り付けることができることとなる。
また、上述の如く、前記仮止め位置Ｋに係止突起89が位置しているときには、メダル投入口31から投入されたメダルがメダル受入口81に流入可能となっている。したがって、係止突起89を本止め位置Ｈまで移動させて、メダル選別装置70を固定させることなく、前記仮止め位置Ｋにおいて、メダル投入口31から投入されるメダルが、メダル選別装置70に受け入れられて選別、排除されるか否かのテストを行うことができることとなる。
【００３７】
これにより、メダル選別装置70に関する作動のテストを行う際の作業負担を軽減することができることとなる。
【発明の効果】
【００３８】
本発明は、以上のように構成されているので、以下に記載されるような効果を奏する。
すなわち、請求項１記載の発明によれば、簡易な構造で、他の装置やコード等と接触することなく容易にメダル選別装置を取り付け可能であって、メダル選別装置に関する作動のテストを行う際の作業負担を軽減可能な遊技機を提供することができる。
【発明を実施するための最良の形態】
【００３９】
以下、本発明の実施の形態を図面を参照しつつ説明する。
（図面の説明）
図１から図１１までは、本発明の実施の形態を示すものである。
図１は、スロットマシン10を示す外観正面図である。図２は、スロットマシン10の前扉30を開いた状態における、前扉30の裏面及び筐体20の内部を示す外観斜視図である。図３は、メダル選別装置70の背面外観斜視図である。図４は、メダル選別装置70を分解した状態を示す外観斜視図である。図５は、メダルがメダル選別装置70を通過する状態を示す外観正面図（ａ）、メダルがメダル選別装置70を通過する状態を示す側断面図（ｂ）、及び、メダルがメダル選別装置70から排除される状態を示す側断面図（ｃ）である。図６は、メダル選別装置70が前扉30に固定された状態を示す背面外観斜視図である。図７は、ブラケット110の背面図（ａ）、及び、ブラケット110の側面図（ｂ）である。図８は、メダル選別装置70を前扉30に取り付ける際の各部材の位置関係を示す背面外観斜視図である。図９は、メダル選別装置70をブラケット110に取り付ける状態を示す背面外観斜視図である。図１０は、メダル選別装置70の仮止め状態を示す背面外観斜視図である。図１１は、メダル選別装置70の本止め状態を示す背面外観斜視図である。
【００４０】
なお、本形態では、「正面」とは、スロットマシン10において遊技を行う際に遊技者が向き合う面を意味するものである。また、「前方」とは、スロットマシン10から見た場合に、このスロットマシン10の正面に向き合って遊技を行う遊技者が位置する方向をいう。また、「後方」とは、前記「前方」と反対の方向をいう。また、「右側」とは、スロットマシン10の正面に向き合って遊技を行う遊技者から見て右側をいう。また、「左側」とは、スロットマシン10の正面に向き合って遊技を行う遊技者から見て左側をいう。
また、本形態では、「適正メダル」とは、所定の規格に適合したメダルであって、本形態に係るスロットマシン10に使用される正規のメダルであり、直径が２５ｍｍ、及び、厚さが１．６ｍｍのメダルとなっている。
【００４１】
（スロットマシン10）
本形態に係る遊技機は、メダル遊技機としてのスロットマシン10であって、遊技媒体として円板状のメダルを使用するものである。
また、図２に示すように、スロットマシン10は、正面に開口部を有する箱型の筐体20を備えている。また、筐体20の正面には、開口部を開閉自在に塞ぐ前扉30を備えている。
（筐体20）
筐体20の内部における、高さ方向の中央よりも上側には、図２に示すように、３個の回転リール41を横並びに設けたリールユニット40を備えている。
【００４２】
また、リールユニット40の下方には、スロットマシン10に備えられた各種装置に電力を供給するための電源ユニット45や、メダルを貯留するとともに役の入賞時等にメダルを払い出すためのホッパーユニット44を備えている。
また、筐体20の内部には、特に図示していないが、スロットマシン10を制御するための制御装置を備えている。
（前扉30）
前扉30の略中央には、図１に示すように、筐体20の内部に設けられた各回転リール41の周囲に付されている図柄を見ることができる図柄表示窓42が設けられている。図柄表示窓42は、各回転リール41の前方に位置しており、３個すべての回転リール41が停止した際には、縦３列横３行に配列した合計９個の図柄を見ることができるように形成されている。
【００４３】
また、図柄表示窓42の上方には、図１に示すように、各種表示を行う表示装置としての横長の液晶ディスプレイ46が設けられている。また、液晶ディスプレイ46の上方には、演出に用いられる演出用ランプ37が設けられている。
また、図柄表示窓42の下方には、図１に示すように、前扉30の正面から前方へ向けて突出する操作部47が設けられている。
そして、操作部47の上面右側には、スロットマシン10の内部へメダルを投入するためのメダル投入口31が設けられている。また、操作部47の上面左側には、クレジットされているメダルを１枚投入するためのシングルベットスイッチ33、及び、クレジットされているメダルを１回の遊技につき投入可能な最大枚数（たとえば、３枚）分投入するためのマックスベットスイッチ34が横並びに設けられている。また、操作部47の前面右側には、クレジットされているメダルを払い出すための精算スイッチ43が設けられている。また、操作部47の前面左側には、回転リール41の回転を開始させるためのスタートスイッチ35が設けられている。また、操作部47の前面中央には、回転リール41の回転を停止させるための３個のストップスイッチ36が横並びに設けられている。
【００４４】
また、前扉30の下部中央には、メダルの払い出し、又はメダルの返却を行うためのメダル払出口32が設けられている。また、メダル払出口32の下方には、メダル払出口32から払い出されたメダルを受け止めて貯留するための受け皿39が設けられている。また、メダル払出口32の左右両側には、効果音等を鳴らすためのスピーカー38がそれぞれ設けられている。
また、図２に示すように、前扉30の裏面には、メダル投入口31に投入されたメダルの選別、排除を行うためのメダル選別装置70が設けられている。また、メダル選別装置70の下方には、メダル選別装置70により排除されたメダルを、メダル払出口32まで誘導する排出誘導通路60が設けられている。なお、この排出誘導通路60は、後述するメダル選別装置70に形成されるメダル通路82の途中の所定位置から分岐するものとなっており、換言すれば、始端がメダル通路82と連通するものとなっている。
【００４５】
また、図８に示すように、前扉30の裏面におけるメダル投入口31に対応する位置には、後述するブラケット110を係合させるための係合突起61が２個横並びに設けられ、また、ブラケット110を係合させた状態で固定するための円形のネジ孔62が２個横並びに形成されている。また、図８に示すように、前扉30の裏面における前記排出誘導通路60の両側部にも、前記ブラケット110を固定するための円形のネジ孔63がそれぞれ形成されている。
また、特に図示していないが、メダル選別装置70の上方には、前記ストップスイッチ36や精算スイッチ43等と、電源ユニット45や制御装置とを結線するケーブル類が配設されるものとなっている。
【００４６】
（メダル投入口31）
メダル投入口31は、上述の如く、スロットマシン10の内部へメダルを投入するためのものであって、図１に示すように、操作部47の上面右側に設けられている。
具体的には、本形態に係るスロットマシン10では、所定寸法の奥行きを有し断面略Ｕ字状の凹部が設けられた基部と、基部の奥側に配置される半円形の背面板とから構成されるメダル投入ガイド部材が、操作部47の上面右側に取り付けられている。そして、このメダル投入ガイド部材における、凹部の奥端部であって背面板の手前に、横長長方形状の貫通孔であるメダル投入口31が設けられている。
【００４７】
また、このメダル投入口31の横幅は適正メダルの直径（２５ｍｍ）よりも僅かに大きい寸法となっており、かつ、縦幅は適正メダルの厚さ（１．６ｍｍ）よりも僅かに大きい寸法となっている。これにより、このメダル投入口31には、適正メダル、及び、適正メダルより径が小さいメダルを投入することができるものの、適正メダルよりも径が大きいメダルや、適正メダルよりも厚いメダルを投入することはできないようになっている。
なお、メダル投入ガイド部材における凹部には、複数枚のメダルを載置することができるようになっており、複数枚のメダルを凹部に載置して奥方向に滑らすことで、複数枚のメダルを容易にメダル投入口31に投入することができるようになっている。
【００４８】
（メダル選別装置70）
メダル選別装置70は、上述の如く、スロットマシンの内部へメダルを投入するためのものであって、図２に示すように、前扉30の裏面における、前記メダル投入口31と対応する位置に設けられている。具体的には、このメダル選別装置70は、後述するブラケット110に固定されるものとなっており、このブラケット110を介して、前扉30の裏面に取り付けられるようになっている。なお、メダル選別装置70の前扉30への取り付けについては、後程詳述する。
このメダル選別装置70は、図４に示すように、後述するブラケット110に固定される板状のベース部材71と、このベース部材71の裏面側において、ベース部材71と組み合わせることが可能な板状の開閉部材72とから構成される。
【００４９】
この開閉部材72は、図３及び図４に示すように、開閉部材72の側部に設けられた支持軸91を介して、ベース部材71に取り付けられるものとなっている。そして、前記開閉部材72は、前記支持軸91を軸心として、前後方向に回動可能なものとなっている。また、常態においては、図３に示すように、前記支持軸91に巻かれた連結バネ92により、開閉部材72がベース部材71へ向けて付勢されるものとなっており、開閉部材72はベース部材71に組み合わされた状態となっている。そして、メダル選別装置70は、この開閉部材72がベース部材71に組み合わされた状態で、前記ブラケット110に固定されて、使用されるものとなっている（図３及び図６参照）。
【００５０】
また、ベース部材71の下端部には、開閉部材72がベース部材71に組み合わされた状態で、開閉部材72が回動しないように開閉部材72をベース部材71にロックするための開閉ロック部材87が設けられている。また、ベース部材71の左右両側部にはそれぞれ、メダル選別装置70を後述するブラケット110に取り付けるための係止突起89としての２本の取付けピン89aが縦並びに設けられている。また、ベース部材71の下側部には、メダル選別装置70を後述するブラケット110に固定する固定具120としての固定ネジを取り付けるための円形の第１ベース部材用ネジ孔88が設けられている。
また、このメダル選別装置70は、図３及び図５に示すように、大別して、後述するブラケット110に固定された状態で前記メダル投入口31と連通するメダル受入口81と、メダル受入口81から受け入れられたメダルを所定方向へ移送するためのメダル通路82と、メダル通路82から前記排出誘導通路60に分岐する分岐点に設けられ、メダルの選別又は排除を行うための選別排除装置95と、メダル受入口81の下方近傍に設けた第１メダル検知装置93と、メダル通路82の途中であって選別排除装置95よりも下流側に設けた第２メダル検知装置94とを備えている。
【００５１】
（メダル受入口81）
メダル受入口81は、メダル選別装置70が後述するブラケット110に固定された状態でメダル投入口31と連通し、メダル投入口31に投入されたメダルを受け入れてメダル通路82に誘導するためのものであり、ベース部材71の上端部に設けられている（図４参照）。
すなわち、メダル投入口31から投入されたメダルは、メダル投入口31に連通しているメダル受入口81を介して、メダル通路82内へ流下していくこととなる。
（メダル通路82）
メダル通路82は、メダル受入口81から受け入れられたメダルを所定方向へ移送するためのものであり、開閉部材72がベース部材71に組み合わされた状態で、ベース部材71の裏面と開閉部材72の正面とにより形成されるものである（図４及び図５（ａ）参照）。
【００５２】
このメダル通路82の始端は、図４及び図５（ａ）に示すように、メダル受入口81に連通している。また、特に図示していないが、メダル通路82の終端は、ホッパーユニット44の上方に位置している。また、メダル通路82のメダル受入口81側が上流側であり、また、メダル通路82のホッパーユニット44側が下流側となっており、上流側から下流側へ向かうにしたがって、高さが次第に低くなるように形成されている。また、メダル通路82は、図４及び図５（ａ）に示すように、途中で屈曲することにより、ほぼＬ字型に形成されている。具体的には、メダル通路82は、メダル受入口81から鉛直下方へ向かい、途中で滑らかに屈曲した後、比較的緩やかに傾斜してホッパーユニット44の上方まで至るものとなっている。
【００５３】
これにより、メダル通路82は、メダル受入口81から受け入れられたメダルを、上流側から下流側へ向けて、ほぼ所定範囲内の流下速度で、一定方向へ誘導するようにしている（図５（ａ）参照）。
（選別排除装置95）
選別排除装置95は、メダルの選別又は排除を行うためのものであり、具体的には、常時、適正メダル以外のメダルを選別して排出誘導通路60へ誘導するとともに、メダル投入不可に設定されているときには適正メダルも排出誘導通路60へ誘導するためのものである。この選別排除装置95は、メダル通路82から前記排出誘導通路60へ分岐する分岐点に設けられている（図４及び図５（ａ）参照）。
【００５４】
ここで、図４及び図５（ａ）に示すように、ベース部材71における、前記選別排除装置95に対応する位置には、排出誘導通路60へメダルを誘導するためのメダル排出口84が形成されている。具体的には、このメダル排出口84は、適正メダルよりも大きな径を有する開口であって、下側の縁が、メダル通路82の下端よりも若干上側に位置するように形成されている。これにより、メダル通路82における、メダル排出口84に対応する位置を、メダルが移動する際には、このメダルの下側の縁はメダル排出口84の縁により支持されることとなる（図５（ｂ）参照）。
また、前記選別排除装置95は、前記メダル排出口84に対応するメダル通路82の上方に設けられ、スロットマシン10の前後方向に揺動可能な揺動ガイド部材100と、揺動ガイド部材100を前後方向に揺動させるためのソレノイド102と、を備えている。この揺動ガイド部材100は、ソレノイド102がＯＮになると、スロットマシン10の前方へ揺動した状態で保持されることとなるものの、ソレノイド102がＯＦＦになると、前記保持は解除され、後方へ揺動した状態となる。そして、ソレノイド102がＯＮのときは、揺動ガイド部材100の可動端部は、メダル排出口84に対応するメダル通路82を移動する適正メダルの上側の縁よりも下側に位置するものとなっている。これに対して、ソレノイド102がＯＦＦのときは、揺動ガイド部材100の可動端部は、前記適正メダルの上側の縁よりも上側に位置するものとなっている。
【００５５】
また、後述する如く、メダル選別装置70は、上側がスロットマシン10の前方へ傾くように傾斜して、前扉30の裏面に取り付けられるものとなっており、これに伴って、メダル通路82も、上側の縁がスロットマシン10の前方へ傾斜するものとなっている。これにより、メダルは、上側をスロットマシン10の前方へ傾斜させた状態で、メダル通路82を上流側から下流側へ向けて流下する。すなわち、図５（ｂ）及び図５（ｃ）に示すように、メダルは、上側がメダル排出口84側へ傾斜した状態で、メダル通路82を流下することとなる。
以上より、適正メダルがメダル通路82を移動する場合、ソレノイド102がＯＮのときには、適正メダルの下側の縁はメダル排出口84の縁により支持され、かつ、上側の縁は揺動ガイド部材100により支持されることとなるため（図５（ｂ）参照）、適正メダルはメダル排出口84から排出誘導通路60へ誘導されることなく、メダル通路82の下流側へ移動することとなる。
【００５６】
これに対して、ソレノイド102がＯＦＦのときには、適正メダルの下側の縁はメダル排出口84の縁により支持されるものの、上側の縁は揺動ガイド部材100により支持されることはない（図５（ｃ）参照）。そして、メダル排出口84は、適正メダルの直径よりも大きい径となっているため、適正メダルはメダル排出口84から排出誘導通路60へ誘導され、排出誘導通路60内を自重で落下し、メダル払出口32から返却されることとなる。
また、適正メダル以外のメダル、すなわち、適正メダルよりも径が小さいメダルがメダル通路82を移動する場合は、ソレノイド102がＯＮであっても、当該メダルの上側の縁は揺動ガイド部材100により支持されることはない。したがって、ソレノイド102のＯＮ、又は、ＯＦＦに拘わらず、適正メダル以外のメダルは、常時、メダル排出口84から排出誘導通路60へ誘導され、メダル払出口32から返却されることとなる。
【００５７】
なお、スロットマシン10がメダル投入可に設定されている場合に、ソレノイド102がＯＮとなり、また、メダル投入不可に設定されている場合に、ソレノイド102がＯＦＦとなる。
（第１メダル検知装置93）
第１メダル検知装置93は、メダル受入口81の下方近傍に設けられたものであり、メダル受入口81にメダルが受け入れられたことを検出するためのフォトセンサーである。
（第２メダル検知装置94）
第２メダル検知装置94は、メダル通路82の途中であって選別排除装置95よりも下流側に設けられるものであって、メダルの通過を検出するためのフォトセンサーである。すなわち、この第２メダル検知装置94には、選別排除装置95を通過したメダルのみが到達するため、メダル投入可と設定されているときに、選別排除装置95を通過した適正メダルが検出されることとなる。そして、この第２メダル検知装置94を検出することにより出力される通過検出信号に基づき、メダルのカウント等が行われることとなる。
【００５８】
（ブラケット110）
ブラケット110は、上記メダル選別装置70を前扉30の裏面に取り付けるためのものである。
このブラケット110は、図７（ａ）及び図８に示すように、中央に、前記ベース部材71のメダル排出口84よりも大きな略四角状の開口部112が形成された略長方形枠板状の基板111と、基板111の左右両側部からそれぞれ立設する係止凸部113としての係止板113aと、基板111の上端に設けられ所定方向に突設する上部取付片117と、基板111の下端に所定間隔をおいて横並びに２個設けられ、所定方向に突設する下部取付片118と、を備えている。
【００５９】
また、基板111の上端部には、図７（ａ）に示すように、前扉30の裏面に設けられた２個の係合突起61と対応する係合孔111aが２個形成されている。また、基板111の下側部には、図７（ａ）及び図８に示すように、メダル選別装置70をブラケット110に取り付ける場合に、メダル選別装置70のベース部材71に設けられた第１ベース部材用ネジ孔88と対応する位置に、円形の第２ベース部材用ネジ孔111bが形成されている。
また、上部取付片117には、図７（ｂ）に示すように、前扉30裏面の係合突起61に係合孔111aを係合させた場合に、前扉30の裏面に形成された２個のネジ孔62と対応する円形のネジ孔117aが形成されている。
【００６０】
また、下部取付片118には、図７（ａ）及び図８に示すように、前扉30裏面の係合突起61に係合孔111aを係合させた場合に、前扉30の裏面における排出誘導通路60の両側部にそれぞれ形成されたネジ孔63と対応する円形のネジ孔118aが形成されている。
以上より、前扉30裏面の係合突起61に、基板111の係合孔111aを係合させた場合には、前扉30裏面のネジ孔62と、上部取付片117のネジ孔117aとが一致するとともに、前扉30裏面のネジ孔63と、下部取付片118のネジ孔118aとが一致することとなる。そして、この状態で、所定の固定ネジによりネジ止めをすることで、ブラケット110は前扉30の裏面に固定されることとなる（図６及び図８参照）。
【００６１】
また、図６に示すように、ブラケット110を前扉30の裏面に固定した状態では、基板111は、上側が、スロットマシン10の前方に傾くように傾斜するものとなっている。また、特に図示していないが、ブラケット110にメダル選別装置70を取り付けた状態では、メダル選別装置70におけるベース部材71のメダル排出口84と、基板111の中央に形成された開口部112とが合致するものとなっている。
（係止板113a（係止凸部113））
係止板113aは、上述の如く、ブラケット110における基板111の左右両側部からそれぞれ立設するものであって、メダル選別装置70を取り付けるための係止凸部113に該当するものである。すなわち、この係止板113aは、ブラケット110を前扉30の裏面に固定した状態において、ブラケット110の基板111からスロットマシン10の後方に向けて突設するものとなっているため、ひいては、前扉30の裏面から突設することとなる。
【００６２】
この係止板113aは、図７及び図８に示すように、略縦長長方形状の薄板部材である。そして、この係止板113aは、図８に示すように、メダル選別装置70をブラケット110に取り付ける際に、メダル選別装置70の両側部それぞれと対応する位置に設けられる。すなわち、メダル選別装置70は、基板111の左右両側部からそれぞれ立設する係止板113aの間に挟まれた状態で、ブラケット110に取り付けられることとなる。
また、各係止板113aには、図７及び図８に示すように、メダル選別装置70の側部に設けられた係止突起89としての２本の取付けピン89aに対応して、この２本の取付けピン89aそれぞれが係止可能な係止溝114が２つ縦並びに形成されている。
【００６３】
（係止溝114）
係止溝114は、上述のごとく、メダル選別装置70の側部に設けられた取付けピン89a（係止突起89）が係止可能な溝であり、取付けピン89aに対応して、係止板113aに２つ縦並びに形成されている。
この係止溝114は、図７（ｂ）及び図８に示すように、係止板113aを略Ｌ字状に切り欠いて形成した貫通溝である。具体的には、この係止溝114は、図７（ｂ）に示すように、基板111から立設する係止板113aの立設方向の端部に開口し、取付けピン89aが進入可能な係止溝開口部115aと、係止溝開口部115aから、基板111方向へ向けて所定の仮止め位置Ｋまで至る第１係止溝部114aと、前記第１係止溝部114aと直交し、前記所定の仮止め位置Ｋから上側方向へ向けて所定の本止め位置Ｈまで至る第２係止溝部114bとを備えている。すなわち、この係止溝114は、係止溝開口部115aから、仮止め位置Ｋを経由して、本止め位置Ｈまで至るものとなっている。
【００６４】
また、係止溝開口部115aの下側の縁には、図７（ｂ）及び図８に示すように、取付けピン89aの係止溝開口部115aへの進入を案内するための案内傾斜面116が形成されている。
そして、メダル選別装置70に設けられた取付けピン89aが、係止溝開口部115aから係止溝114内に進入すると、図６に示すように、前記取付けピン89aは、係止溝114を介して、係止板113aの、前記メダル選別装置70の側面と対向する面から反対側の面に突出しすることとなる。すなわち、前記取付けピン89aが、係止溝114を介して、係止板113aに係止されることとなる。
またここで、上述の如く、ブラケット110を前扉30の裏面に固定した状態では、基板111は、上側が、スロットマシン10の前方に傾くように傾斜するものとなっている。したがって、この状態では、図８に示すように、基板111から立設する係止板113aも、上側が、スロットマシン10の前方に傾くように傾斜するものとなっている。
【００６５】
すると、この状態では、係止溝114における第１係止溝部114aは、図８に示すように、係止溝開口部115aから、スロットマシン10の水平前方よりも下側の方向へ向けて、所定の仮止め位置Ｋまで至るものとなっている。また、同状態では、係止溝114における第２係止溝部114bは、図８に示すように、所定の仮止め位置Ｋから、鉛直上方よりもスロットマシン10の前方に傾斜した方向へ向けて、所定の本止め位置Ｈまで至るものとなっている。
（仮止め位置Ｋ）
仮止め位置Ｋは、図７（ｂ）及び図８に示すように、係止溝開口部115aを始端とした場合における、第１係止溝部114aの終端に対応する位置である。
【００６６】
また、この仮止め位置Ｋは、ブラケット110を前扉30の裏面に固定した状態で、メダル選別装置70に設けられた係止突起89としての取付けピン89aが位置した際にメダル投入口31から投入された適正メダルがメダル受入口81に流入可能となる位置である。
具体的には、この仮止め位置Ｋは、図１０に示すように、取付けピン89aが位置した際に、メダル選別装置70に設けられたメダル受入口81が、前扉30の正面に設けられたメダル投入口31から、メダルの流下方向における下流側に、適正メダルの直径よりも小さい所定距離（たとえば、８ｍｍ）の間隙を挟んで対向することとなる位置である。
換言すれば、この仮止め位置Ｋは、取付けピン89aが位置すると、メダル投入口31から、メダルの流下方向における下流側に所定距離離れてメダル受入口81が対向した状態で、メダル選別装置70がブラケット110に係止されることとなる位置である。
【００６７】
なお、メダル受入口81は、メダル選別装置70の上端部に設けられているものであるため、仮止め位置Ｋに取付けピン89aが位置している際には、メダル選別装置70の大部分は、メダル投入口31の下方に比較的離れて位置するものとなっている。
そして、上述のような仮止め位置Ｋに取付けピン89aが位置している状態で、メダル投入口31から適正メダルを投入すると、メダル投入口31とメダル受入口81との間隔が適正メダルの直径以下であるため、適正メダルの上側の縁がメダル投入口31の下側の縁を通過する前に、適正メダルの下側の縁がメダル受入口81の上側の縁に到達することとなる。したがって、この状態では、メダル投入口31から投入された適正メダルはメダル受入口81に流入可能となるのである。
【００６８】
また、上述の如く、係止溝開口部115aから仮止め位置Ｋまで至る第１係止溝部114aは、スロットマシン10の水平前方よりも下側の方向へ向けて傾斜するものとなっている。したがって、メダル選別装置70を係止板113aに取り付ける際、メダル選別装置70の取付けピン89aを係止溝開口部115aに位置させると、自重により第１係止溝部114aの下側内壁を摺動して、取付けピン89aが仮止め位置Ｋに到達することとなる。これにより、メダル選別装置70の係止板113aへの取付けが容易なものとなっている。また、第１係止溝部114aが傾斜していることにより、取付けピン89aが仮止め位置Ｋに到達すると、メダル選別装置70はブラケット110にもたれかかった状態となる。したがって、メダル選別装置70は、係止溝開口部115aから係止溝114外へ脱落することはない。すなわち、メダル選別装置70は、ブラケット110から落下することはない。すなわち、取付けピン89aが仮止め位置Ｋに到達すると、メダル選別装置70はブラケット110に仮止めされた状態となる。
【００６９】
また、上述の如く、係止溝開口部115aの下側の縁には、案内傾斜面116が形成されているため、メダル選別装置70の取付けピン89aを案内傾斜面116の下端部に当接させた後、メダル選別装置70を案内傾斜面116に沿って上方へ向けて摺動させると、取付けピン89aを容易に係止溝開口部115aへ位置させることができる。すなわち、取付けピン89aの係止溝開口部115aへの位置合わせを容易に行うことができるものとなっている。
（本止め位置Ｈ）
本止め位置Ｈは、図７（ｂ）及び図８に示すように、前記仮止め位置Ｋを始端とした場合における、第２係止溝部114bの終端に対応する位置である。
【００７０】
また、この本止め位置Ｈは、図１１に示すように、ブラケット110を前扉30の裏面に固定した状態で、メダル選別装置70に設けられた係止突起89としての取付けピン89aが位置した際にメダル投入口31とメダル受入口81とが連通する位置である。
具体的には、この本止め位置Ｈは、図１１に示すように、取付けピン89aが位置した際に、メダル選別装置70に設けられたメダル受入口81が、前扉30の正面に設けられたメダル投入口31の直下に、間隙をほとんど挟むことなく対向することとなる位置であり、たとえば、本形態に係るスロットマシン10では、本止め位置Ｈに取り付けピン89aが位置した際に、メダル受入口81とメダル投入口31とが１ｍｍの間隙を挟んで対向するように形成することができる。
【００７１】
換言すれば、この本止め位置Ｈは、取付けピン89aが位置すると、メダル投入口31の直下に間隙をほとんど挟むことなくメダル受入口81が対向した状態で、メダル選別装置70がブラケット110に係止されることとなる位置である。
さらに換言すれば、この本止め位置Ｈは、仮止め位置Ｋから、メダルの流下方向における上流側に、任意の距離（本形態では７ｍｍ）だけ移動した位置である。すなわち、本止め位置Ｈは、仮止め位置Ｋからメダル投入口31方向へ向けて前記任意の距離（７ｍｍ）だけ移動した位置である。
なお、本形態に係るスロットマシン10では、本止め位置Ｈに取り付けピン89aが位置した際に、メダル受入口81とメダル投入口31とがくっつくように（すなわち、メダル受入口81とメダル投入口31との間に間隙が生じないように）形成することもできる。
【００７２】
また、本形態では、図６及び図１１に示すように、この本止め位置Ｈにメダル選別装置70の取付けピン89aが位置している状態で、ベース部材71の下側部に形成されている第１ベース部材用ネジ孔88と、ブラケット110における基板111の下側部に形成されている第２ベース部材用ネジ孔111bとが一致するようになっている。したがって、この状態で、固定具120としての固定ネジによりネジ止めを行うことで、メダル選別装置70をブラケット110に固定することができる。
なお、係止溝114内における本止め位置Ｈ以外の箇所に取付けピン89aが位置している状態では、第１ベース部材用ネジ孔88と第２ベース部材用ネジ孔111bとが一致することはなく、メダル選別装置70をブラケット110に固定することはできないようになっている。
【００７３】
また、上述の如く、仮止め位置Ｋから本止め位置Ｈまで至る第２係止溝部114bは、上側が、鉛直上方よりもスロットマシン10の前方へ向けて傾いて傾斜するものとなっている。したがって、メダル選別装置70をブラケット110に固定する際には、メダル選別装置70の取付けピン89aを、仮止め位置Ｋから前記傾斜方向へ向け、第２係止溝部114bの内壁に沿って摺動させて、本止め位置Ｈまで到達させることとなる。この際、上述の如く、メダル選別装置70がブラケット110にもたれかかったまま、取付けピン89aは第２係止溝部114bの内壁を摺動するため、比較的小さな力で前記動作を行うことができ、メダル選別装置70のブラケット110への固定を容易に行うことができることとなる。
【００７４】
（メダル選別装置70の前扉30裏面への取り付け）
以下、上述のようなメダル選別装置70の、前扉30裏面への取り付けについて説明する。なお、上述の如く、本形態では、メダル選別装置70は直接、前扉30の裏面に取り付けるのではなく、ブラケット110を介して、間接的に前扉30の裏面に取り付けるものとなっている。
まず、ブラケット110を前扉30の裏面に固定する。
具体的には、図８に示すように、前扉30裏面の係合突起61に、ブラケット110における基板111の係合孔111aを係合させる。すると、前扉30裏面のネジ孔62と、ブラケット110における上部取付片117のネジ孔117aとが一致するとともに、前扉30裏面のネジ孔63と、ブラケット110における下部取付片18のネジ孔118aとが一致することとなる。そして、この状態で、所定の固定ネジによりネジ止めを行うことで、ブラケット110が、前扉30の裏面に固定されることとなる（図６参照）。
【００７５】
次に、メダル選別装置70をブラケット110に取り付ける。
具体的には、まず、図９に示すように、メダル選別装置70の側部に設けられた取付けピン89aを、係止板113aに設けられた係止溝開口部115aから、係止溝114内へ進入させる。この作業は、前記取付けピン89aを、対応する係止溝開口部115aの下側の縁に当接させ、メダル選別装置70を、この縁に形成されている案内傾斜面116に沿って上方へ向けて摺動させることで容易に行うことができるものとなっている。すなわち、メダル選別装置70を案内傾斜面116に沿って上方へ向けて摺動させると、前記取付けピン89aを容易に係止溝開口部115aへ位置させることができる。
【００７６】
そして、前記取付けピン89aが、係止溝開口部115aから係止溝114内へ進入すると、この係止溝開口部115aから仮止め位置Ｋまで至る第１係止溝部114aは、スロットマシン10の水平前方よりも下側の方向へ向けて傾斜しているため、自重により、第１係止溝部114aの下側内壁を摺動して、前記取付けピン89aは仮止め位置Ｋに到達することとなる（図１０参照）。
そして、前記取付けピン89aを、仮止め位置Ｋから、第２係止溝部114bの内壁に沿ってメダル投入口31方向へ向けて摺動させながら、メダル選別装置70を同方向へスライドさせる。そして、前記取付けピン89aが本止め位置Ｈに到達すると、ベース部材71の下側部に形成されている第１ベース部材用ネジ孔88と、ブラケット110における基板111の下側部に形成されている第２ベース部材用ネジ孔111bとが一致する。そして、この状態で、固定具120としての固定ネジによりネジ止めを行うことで、メダル選別装置70をブラケット110に固定することができる（図１１参照）。
これにより、図６に示すように、メダル選別装置70が、ブラケット110を介して、前扉30の裏面に取り付けられることとなる。
【００７７】
（総括）
本形態に係るスロットマシン10によれば、メダル選別装置70に設けられた係止突起89としての取付けピン89aは、係止溝開口部115aから、係止凸部113としての係止板113aに形成された係止溝114内に進入し、仮止め位置Ｋを経由して、本止め位置Ｈまで移動することができるものとなっている。そして、本止め位置Ｈに取付けピン89aが位置している状態で、固定具120としての固定ネジによりネジ止めを行うことで、メダル選別装置70が、ブラケット110を介して、前扉30の裏面に取り付けられるようになっている。
ここで、前記仮止め位置Ｋは、取付けピン89aが位置した際にメダル投入口31から投入されたメダルがメダル受入口81に流入可能となる位置であり、具体的には、メダル選別装置70のメダル受入口81が、前扉30のメダル投入口30から、メダルの流下方向における下流側に所定距離の間隔を挟んで対向する位置である。また、前記メダル受入口81は、メダル選別装置70の上端部に設けられているものであるため、仮止め位置Ｋに取付けピン89aが位置している際には、メダル選別装置70の大部分は、メダル投入口30の下方に比較的離れた状態で位置することとなる。
【００７８】
すなわち、本形態では、メダル選別装置70の取付けピン89aを、係止溝開口部115aから係止溝114内に進入させ、仮止め位置Ｋを経由して、本止め位置Ｈまで到達させる場合には、メダル選別装置70は、メダル投入口31から下方に離れた空間を移動して、所定の取り付け位置まで到達することとなる。
これにより、メダル選別装置70の取り付け位置の上方、すなわち、メダル投入口30の下方に配設されている各種ケーブル等を接触することなく、容易にメダル選別装置70を前扉30の裏面に取り付けることができることとなる。
また、本形態に係るスロットマシン10では、ブラケット110を前扉30の裏面に固定した状態で、ブラケット110の基板111は、上側が、スロットマシン10の前方に傾くように傾斜するものとなっている。これにより、係止溝114における第１係止溝部114aは、スロットマシン10の水平前方よりも下側の方向へ向けて傾斜するものとなっている。したがって、メダル選別装置70の取付けピン89aを係止溝開口部115aに位置させると、自重により、取付けピン89aが仮止め位置Ｋまで到達することとなるため、メダル選別装置70を移動させる必要がなく、メダル選別装置70を前扉30の裏面へ取り付ける際の作業を効率的に行うことができる。
【００７９】
また、仮止め位置Ｋに取付けピン89aが位置しているときは、メダル選別装置70を保持せずとも、メダル選別装置70は仮止め位置Ｋに留まったままとなり、係止板113aから脱落しないようになっている。したがって、前記作業者は、メダル選別装置70を保持することなく、メダルの投入テスト等の他の作業を行うことができるため、メダル選別装置70を前扉30裏面へ取り付ける際の作業を効率的に行うことができる。
また、係止溝114における第２係止溝部114bは、上側が、鉛直上方よりもスロットマシン10の前方へ向けて傾いて傾斜するものとなっている。したがって、メダル選別装置70の取付けピン89aを本止め位置Ｈまで到達させるには、前記取付けピン89aを、傾斜方向へ向け、第２係止溝部114bの内壁に沿って摺動させることとなる。この際、上述の如く、ブラケット110の基板111が傾斜するものとなっていることから、メダル選別装置70はブラケット110にもたれかかったまま、取付けピン89aを第２係止溝部114bの内壁を摺動させることができる。すなわち、当該動作は比較的小さな力で行うことができることとなる。
【００８０】
以上より、本形態に係るスロットマシン10によれば、メダル選別装置70の、前扉30裏面への取付けを容易に行うことができることとなる。
また、本形態に係るスロットマシン10によれば、前記仮止め位置Ｋに取付けピン89aが位置しているときには、メダル投入口31から投入されたメダルがメダル受入口81に流入可能となっている。したがって、取付けピン89aを本止め位置Ｈまで移動させて、メダル選別装置70を固定させることなく、前記仮止め位置Ｋにおいて、メダル投入口31から投入されるメダルが、メダル選別装置70に受け入れられて選別、排除されるか否かのテストを行うことができることとなる。
【００８１】
これにより、メダル選別装置70に関する作動のテストを行う際の作業負担を軽減することができることとなる。
なお、上記形態は、スロットマシン10以外のメダル遊技機にも応用することができる。
（変形例）
上記形態に係るスロットマシン10では、メダル選別装置70は、ブラケット110に固定されることで、当該ブラケット110を介して、前扉30の裏面に対して間接的に取り付けられていたが、前扉30の裏面に、前扉30と一体成型された係止凸部113としての係止板113aを設け、この一体成型された係止板113aにメダル選別装置70を固定することで、前扉30の裏面に対して直接的に取り付けることもできる。
【００８２】
このような形態であっても、上記実施の形態と同様の作用・効果を奏することとなるとともに、部品点数を減らすことができ、より経済的にメダル選別装置70の取り付けを行うことができることとなる。
また、上記形態に係るスロットマシン10では、係止溝114は係止板113aを横方向に貫通する溝となっていたが、係止溝114は貫通しない溝とすることもできる。具体的には、係止凸部113として、係止板113aよりも横幅の広いブロック状の部材を設け、この部材に、上記形態の係止溝114と同形状であり、かつ、当該部材を貫通しないような係止溝114を形成する。そして、この係止溝114に、メダル選別装置70の取付けピン89aを係止させて、メダル選別装置70を前扉30の裏面に取り付けるようにすることができる。
【００８３】
このような形態であっても、上記実施の形態と同様の作用・効果を奏することとなるとともに、前記取付けピン89aが外側に突出しないため、たとえば、前扉30の裏面において配線修理等の作業を行う場合であっても、前記取付けピン89aが邪魔になることはなく、前記作業をしやすくなる。また、たとえば工具が接触する等、取付けピン89aに衝撃が加えられることにより取付けピン89aが破損するのを防止することができる。
また、上記形態に係るスロットマシン10では、メダル選別装置70の両側部にそれぞれ、取付けピン89aを設けるとともに、ブラケット110の両側部にそれぞれ、前記取付けピン89aに対応する係止板113aが設け、両側部において、取付けピン89aを係止板113aの係止溝114に係止して、メダル選別装置70を取り付けていたが、取付けピン89a及び係止板113aは一方の側部のみに設け、他方の側部にはガイド部材を設け、前記一方の側部においては、取付けピン89aを係止板113の係止溝114に係止し、他方の側部においては、ガイド部材によりメダル選別装置70の側部を支持するのみとなるような構成とすることもできる。
【００８４】
このような形態であっても、上記実施の形態と同様の作用・効果を奏することとなる。
また、上記形態に係るスロットマシン10では、メダル選別装置70をベース部材71に固定すべく、固定ネジを止めるための第１ベース部材用ネジ孔88は円形となっていたが、縦長又は横長の楕円形状とすることもできる。
このような形態であっても、上記実施の形態と同様の作用・効果を奏することとなるとともに、前記ネジ孔の開口部内であれば任意の位置でネジ止めを行うことができるため、ブラケット110に対するメダル選別装置70の固定位置を上下方向又は左右方向へ微調整することが可能なり、効率的にメダル選別装置70の取り付けを行うことができることとなる。
【００８５】
また、上記形態に係るスロットマシン10では、ベース部材71に取付けピン89aを設けて、ベース部材71を係止板113aに係止させているが、開閉部材72に取付けピン89aを設けて、開閉部材72を係止板113aに係止させることもできる。
このような形態であっても、上記実施の形態と同様の作用・効果を奏することとなるとともに、開閉部材72が係止板113aに係止するため、この状態で、メダル選別装置70をブラケット110の基板111に固定することで、開閉部材72をベース部材71に対して回動不可能な状態とすることができる。
（他の実施の形態）
上記形態に係るスロットマシン10では、メダル選別装置70に設けられた係止突起89aが、前扉30の裏面から立設する係止板113aに形成された係止溝114に係止された状態で、前記係止突起89aが、係止溝114における仮止め位置Ｋから本止め位置Ｈまで移動可能となるような構造となっていたが、これに限定されるものではなく、前扉30の裏面又はメダル選別装置70のいずれか一方に、被係止部としてのレールを設け、他方に、前記レールに係止される係止部としての係止突起を設け、この係止突起がレールに係止された状態で、前記係止部としての係止突起が、仮止め位置Ｋから本止め位置Ｈまで移動可能となるような構造とすることもできる。
【００８６】
具体的には、特に図示していないが、前扉30の裏面に、メダル選別装置70の両側部を支持可能な間隔をおいて配置される被係止部としての一対のレールを設けるとともに、メダル選別装置70に、前記各レールに係止される係止部としての係止突起を設ける。また、特に図示していないが、前記レールを、メダル選別装置70に設けられた係止突起が位置した状態で、メダル投入口31から投入されたメダルがメダル受入口81に流入可能となる仮止め位置Ｋから、前記係止突起が位置した状態で、メダル投入口31とメダル受入口81とが連通する本止め位置Ｈまで至るように形成する。また、特に図示していないが、前記レールにおける仮止め位置Ｋには、前記係止突起が仮止め位置Ｋよりも下方に移動してしまうのを阻止するための下部ストッパーを設けるとともに、前記レールにおける本止め位置Ｈには、前記係止突起が本止め位置Ｈよりも上方に移動してしまうのを阻止するための上部ストッパーを設ける。
【００８７】
これにより、メダル選別装置70に設けられた係止突起が、前扉30の裏面に設けられた一対のレールに係止された状態で、仮止め位置Ｋから本止め位置Ｈまで移動可能となる。
そして、このように形成した場合でも、上記実施の形態と同様の作用・効果を奏することとなる。なお、被係止部としての一対のレールをメダル選別装置70に設けるとともに、係止部としての係止突起を前扉30の裏面に設けてもよい。
また、上述のような係止構造を備えず、単にメダル選別装置70を案内するための案内部を前扉30の裏面に設け、メダル選別装置70が位置した状態で、メダル投入口31から投入されたメダルがメダル受入口81に流入可能となる仮止め位置Ｋから、メダル選別装置70が位置した状態で、メダル投入口31とメダル受入口81とが連通する本止め位置Ｈまで、メダル選別装置70が前記案内部により案内されるように形成することもできる。
【００８８】
具体的には、特に図示しないが、前扉30の裏面に、前記案内部として、メダル選別装置70を保持可能な、断面略Ｕ字状の樋状ガイド板を設ける。また、この樋状ガイド板を、仮止め位置Ｋから本止め位置Ｈまで至るように形成するとともに、前記仮止め位置Ｋには、メダル選別装置70が仮止め位置Ｋよりも下方に移動してしまうのを阻止するための下部ストッパーを設け、また、前記本止め位置Ｈには、メダル選別装置70が本止め位置よりも上方に移動してしまうのを阻止するための上部ストッパーを設ける。
これにより、メダル選別装置70は、前記樋状ガイド板に保持された状態で、この樋状ガイド板に案内されて、仮止め位置Ｋから本止め位置Ｈまで移動可能となる。
【００８９】
そして、このように形成した場合でも、上記実施の形態と同様の作用・効果を奏することとなる。
【図面の簡単な説明】
【００９０】
【図１】本発明の実施の形態であって、スロットマシンを示す外観正面図である。
【図２】本発明の実施の形態であって、スロットマシンの前扉を開いた状態における、前扉の裏面及び筐体の内部を示す外観斜視図である。
【図３】本発明の実施の形態であって、メダル選別装置の背面外観斜視図である。
【図４】本発明の実施の形態であって、メダル選別装置を分解した状態を示す外観斜視図である。
【図５】本発明の実施の形態であって、メダルがメダル選別装置を通過する状態を示す外観正面図（ａ）、メダルがメダル選別装置を通過する状態を示す側断面図（ｂ）、及び、メダルがメダル選別装置から排除される状態を示す側断面図（ｃ）である。
【図６】本発明の実施の形態であって、メダル選別装置が前扉に固定された状態を示す背面外観斜視図である。
【図７】本発明の実施の形態であって、ブラケットの背面図（ａ）、及び、ブラケットの側面図（ｂ）である。
【図８】本発明の実施の形態であって、メダル選別装置を前扉に取り付ける際の各部材の位置関係を示す背面外観斜視図である。
【図９】本発明の実施の形態であって、メダル選別装置をブラケットに取り付ける状態を示す背面外観斜視図である。
【図１０】本発明の実施の形態であって、メダル選別装置の仮止め状態を示す背面外観斜視図である。
【図１１】本発明の実施の形態であって、メダル選別装置の本止め状態を示す背面外観斜視図である。
【符号の説明】
【００９１】
10  スロットマシン            20  筐体
30  前扉                      31  メダル投入口
32  メダル払出口              33  シングルベットスイッチ
34  マックスベットスイッチ    35  スタートスイッチ
36  ストップスイッチ          37  演出用ランプ
38  スピーカー                39  受け皿
40  リールユニット            41  回転リール
42  図柄表示窓                43  精算スイッチ
44  ホッパーユニット          45  電源ユニット
46  液晶ディスプレイ          47  操作部
60  排出誘導通路              61  係合突起
62  ネジ孔                    63  ネジ孔
70  メダル選別装置            71  ベース部材
72  開閉部材                  81  メダル受入口
82  メダル通路                84  メダル排出口
87  開閉ロック部材            88  第１ベース部材用ネジ孔
89  係止突起                  89a 取付けピン
91  支持軸                    92  連結バネ
93  第１メダル検知装置        94  第２メダル検知装置
95  選別排除装置              100 揺動ガイド部材
102 ソレノイド                110 ブラケット
111 基板                      111a 係合孔
111b 第２ベース部材用ネジ孔   112 開口部
113 係止凸部                  113a 係止板
114 係止溝                    114a 第１係止溝部
114b 第２係止溝部             115a 係止溝開口部
116 案内傾斜面                117 上部取付片
117a ネジ孔                   118 下部取付片
118a ネジ孔                   120 固定具
Ｈ  本止め位置                Ｋ  仮止め位置
【図１】
0005398049.tif 000002
【図２】
0005398049.tif 000003
【図３】
0005398049.tif 000004
【図４】
0005398049.tif 000005
【図５】
0005398049.tif 000006
【図６】
0005398049.tif 000007
【図７】
0005398049.tif 000008
【図８】
0005398049.tif 000009
【図９】
0005398049.tif 000010
【図１０】
0005398049.tif 000011
【図１１】
0005398049.tif 000012